(57)【要約】【課題】快適なＷＡＮ通信環境と消費電力の抑制を手間なく両立する。【解決手段】モバイルルータ１０は、通信速度が異なる複数のＷＡＮ接続モードを有し、ＷＡＮ側と通信する無線ＷＡＮ通信部１１と、ＬＡＮ側と通信する無線ＬＡＮ通信部１２と、を備える。モバイルルータ１０は、無線ＷＡＮ通信部１１と無線ＬＡＮ通信部１２との間の中継通信量を監視する中継通信量監視部１３と、中継通信量の一日における変動パターンを学習する中継学習部１４と、を備える。モバイルルータ１０は、中継学習部１４の学習データに基づいて、無線ＷＡＮ通信部１１のＷＡＮ接続モードを決定するモード決定部１５と、無線ＷＡＮ通信部１１のＷＡＮ接続モードを決定したＷＡＮ接続モードに切り替える制御部１６と、を備える。【選択図】図１
2019149678.tif 000002
【特許請求の範囲】
【請求項１】
通信速度が異なる複数のＷＡＮ接続モードを有し、ＷＡＮ側と通信する無線ＷＡＮ通信部と、
ＬＡＮ側と通信するＬＡＮ通信部と、
前記無線ＷＡＮ通信部と前記ＬＡＮ通信部との間の中継通信量を監視する中継通信量監視部と、
前記中継通信量の一日における変動パターンを学習する中継学習部と、
前記中継学習部の学習データに基づいて、前記無線ＷＡＮ通信部の前記ＷＡＮ接続モードを決定するモード決定部と、
前記無線ＷＡＮ通信部の前記ＷＡＮ接続モードを決定した前記ＷＡＮ接続モードに切り替える接続制御部と、
を備えた中継装置。
【請求項２】
請求項１に記載の中継装置であって、
前記モード決定部は、前記中継通信量が第１の中継通信量よりも多い時間帯では前記無線ＷＡＮ通信部のＷＡＮ接続モードを相対的に通信速度が高いＷＡＮ接続モードに決定し、前記中継通信量が前記第１の中継通信量以下である時間帯では前記無線ＷＡＮ通信部のＷＡＮ接続モードを相対的に通信速度が低いＷＡＮ接続モードに決定する、
中継装置。
【請求項３】
請求項１又は２に記載の中継装置であって、
前記中継学習部は、前記中継通信量の一日における変動パターンを曜日毎に学習する、
中継装置。
【請求項４】
請求項１から３までの何れかに記載の中継装置であって、
前記中継学習部は、前記中継通信量の一日における変動パターンを時刻毎に学習する、
中継装置。
【請求項５】
請求項１から４までの何れかに記載の中継装置であって、
前記ＬＡＮ通信部は、ＬＡＮ側と無線通信するように構成されており、
前記ＬＡＮ通信部は、通信速度が異なる複数のＬＡＮ接続モードを有し、
前記ＬＡＮ通信部におけるＬＡＮ通信量を監視するＬＡＮ通信量監視部と、
前記ＬＡＮ通信量の一日における変動パターンとしてのＬＡＮ変動パターンを学習するＬＡＮ学習部と、
前記ＬＡＮ変動パターンに基づいて、前記ＬＡＮ通信部の前記ＬＡＮ接続モードを決定するＬＡＮモード決定部と、
前記ＬＡＮ通信部の前記ＬＡＮ接続モードを決定した前記ＬＡＮ接続モードに切り替えるＬＡＮ接続制御部と、
を更に備えた、
中継装置。
【請求項６】
通信速度が異なる複数のＷＡＮ接続モードを有し、ＷＡＮ側と通信する無線ＷＡＮ通信部と、ＬＡＮ側と通信するＬＡＮ通信部と、を備えた中継装置の制御方法であって、
前記無線ＷＡＮ通信部と前記ＬＡＮ通信部との間の中継通信量を監視し、
前記中継通信量の一日における変動パターンを学習し、
学習データに基づいて、前記無線ＷＡＮ通信部の前記ＷＡＮ接続モードを決定し、
前記無線ＷＡＮ通信部の前記ＷＡＮ接続モードを決定した前記ＷＡＮ接続モードに切り替える、
制御方法。
【請求項７】
通信速度が異なる複数のＷＡＮ接続モードを有し、ＷＡＮ側と通信する無線ＷＡＮ通信部と、ＬＡＮ側と通信するＬＡＮ通信部と、を備えた中継装置のプログラムであって、
コンピュータに、
前記無線ＷＡＮ通信部と前記ＬＡＮ通信部との間の中継通信量を監視し、
前記中継通信量の一日における変動パターンを学習し、
学習データに基づいて、前記無線ＷＡＮ通信部の前記ＷＡＮ接続モードを決定し、
前記無線ＷＡＮ通信部の前記ＷＡＮ接続モードを決定した前記ＷＡＮ接続モードに切り替える、
ことを実行させる、
プログラム。
【発明の詳細な説明】
【技術分野】
【０００１】
本発明は、中継装置、制御方法、及び、プログラムに関する。
【背景技術】
【０００２】
特許文献１は、ＬＡＮ側の通信とＷＡＮ側の通信を中継するモバイルルータの消費電力を抑制する技術を開示している。具体的には、消費電力の異なる複数の通信モードによりＬＡＮ側の通信を行うＬＡＮ通信手段を設け、ＷＡＮ側の通信速度に応じてＬＡＮ側の通信モードを変化させている。
【先行技術文献】
【特許文献】
【０００３】
【特許文献１】特開２０１３−１９１９７５号公報
【発明の概要】
【発明が解決しようとする課題】
【０００４】
ところで、昨今のモバイルルータは、ＷＡＮ接続モードとして、高速ＷＡＮ接続モードと、低速ＷＡＮ接続モードと、を選択可能に構成されている。高速ＷＡＮ接続モードが選択された場合は、通信速度は相対的に高いが、消費電力は相対的に多い。一方、低速ＷＡＮ接続モードが選択された場合は、通信速度は相対的に低いが、消費電力は相対的に少ない。
【０００５】
従って、データ通信量が多くなるときは高速ＷＡＮ接続モードを選択することで快適な通信環境が実現され、データ通信量が少なくなるときは低速ＷＡＮ接続モードを選択することで消費電力を効果的に抑えることができる。
【０００６】
データ通信を開始するに際しては、都度、データ通信の目的に応じてデータ通信量の多寡を推し量り、高速ＷＡＮ接続モードと低速ＷＡＮ接続モードのどちらかを選択することが快適な通信環境と消費電力の抑制を両立させる観点から好ましいとされている。
【０００７】
しかしながら、データ通信を開始する度にＷＡＮ接続モードを切り替えるのは極めて手間である。従って、殆どのユーザーは、高速ＷＡＮ接続モードを選択したままとし、低速ＷＡＮ接続モードの使用を諦めているのが実情である。
【０００８】
本開示の目的は、上述した課題に鑑み、快適なＷＡＮ通信環境と消費電力の抑制を手間なく両立できる中継装置、制御方法、及び、プログラムを提供することにある。
【課題を解決するための手段】
【０００９】
中継装置は、通信速度が異なる複数のＷＡＮ接続モードを有し、ＷＡＮ側と通信する無線ＷＡＮ通信部と、ＬＡＮ側と通信するＬＡＮ通信部と、を備える。前記中継装置は、前記無線ＷＡＮ通信部と前記ＬＡＮ通信部との間の中継通信量を監視する中継通信量監視部と、前記中継通信量の一日における変動パターンを学習する中継学習部と、を備える。前記中継装置は、前記中継学習部の学習データに基づいて、前記無線ＷＡＮ通信部の前記ＷＡＮ接続モードを決定するモード決定部と、前記無線ＷＡＮ通信部の前記ＷＡＮ接続モードを決定した前記ＷＡＮ接続モードに切り替える接続制御部と、を備える。
【００１０】
通信速度が異なる複数のＷＡＮ接続モードを有し、ＷＡＮ側と通信する無線ＷＡＮ通信部と、ＬＡＮ側と通信するＬＡＮ通信部と、を備えた中継装置の制御は、以下の方法で行われる。前記無線ＷＡＮ通信部と前記ＬＡＮ通信部との間の中継通信量を監視する。前記中継通信量の一日における変動パターンを学習する。学習データに基づいて、前記無線ＷＡＮ通信部の前記ＷＡＮ接続モードを決定する。前記無線ＷＡＮ通信部の前記ＷＡＮ接続モードを決定した前記ＷＡＮ接続モードに切り替える。
【００１１】
通信速度が異なる複数のＷＡＮ接続モードを有し、ＷＡＮ側と通信する無線ＷＡＮ通信部と、ＬＡＮ側と通信するＬＡＮ通信部と、を備えた中継装置のプログラムは、コンピュータに、以下の方法を実行させる。前記無線ＷＡＮ通信部と前記ＬＡＮ通信部との間の中継通信量を監視する。前記中継通信量の一日における変動パターンを学習する。学習データに基づいて、前記無線ＷＡＮ通信部の前記ＷＡＮ接続モードを決定する。前記無線ＷＡＮ通信部の前記ＷＡＮ接続モードを決定した前記ＷＡＮ接続モードに切り替える。
【発明の効果】
【００１２】
以上の発明によれば、快適なＷＡＮ通信環境と消費電力の抑制を手間なく両立できる中継装置、制御方法、及び、プログラムを提供する。
【図面の簡単な説明】
【００１３】
【図１】実施の形態１にかかるモバイルルータのブロック図である。
【図２】実施の形態２にかかるモバイルルータのブロック図である。
【図３】中継通信量の変動パターンを例示する図である。
【図４】学習データを例示する図である。
【図５】ＷＡＮ接続モードと変動パターンとの関係を示す図である。
【図６】ＷＡＮ接続モードと変動パターンとの関係を示す図である。
【図７】モバイルルータの動作フローである。
【図８】実施の形態３にかかるモバイルルータのブロック図である。
【発明を実施するための形態】
【００１４】
（第１実施形態）
以下、図１を参照して、第１実施形態のモバイルルータ１を説明する。モバイルルータ１は、中継装置の一具体例である。
【００１５】
モバイルルータ１は、無線ＷＡＮ通信部２と、ＬＡＮ通信部３と、中継通信量監視部４と、を備える。モバイルルータ１は、更に、中継学習部５と、モード決定部６と、接続制御部７と、を備える。
【００１６】
無線ＷＡＮ通信部２は、ＷＡＮ側と通信する。無線ＷＡＮ通信部２は、通信速度が異なる複数のＷＡＮ接続モードを有する。一般に、通信速度が高いＷＡＮ接続モードは、無線送信出力電圧や周波数帯域幅との兼ね合いで、通信速度が低いＷＡＮ接続モードよりも消費電力が多い。
【００１７】
ＬＡＮ通信部３は、ＬＡＮ側と通信する。
【００１８】
中継通信量監視部４は、無線ＷＡＮ通信部２とＬＡＮ通信部３との間の中継通信量を監視する。
【００１９】
中継学習部５は、中継通信量の一日における変動パターンを学習する。
【００２０】
モード決定部６は、中継学習部５の学習データに基づいて、無線ＷＡＮ通信部２のＷＡＮ接続モードを、通信速度が異なる複数のＷＡＮ接続モードの中から決定する。
【００２１】
接続制御部７は、無線ＷＡＮ通信部２のＷＡＮ接続モードを、モード決定部６が決定したＷＡＮ接続モードに切り替える。
【００２２】
以上の構成によれば、快適なＷＡＮ通信環境と消費電力の抑制を手間なく両立できる。
【００２３】
（第２実施形態）
次に、図２から図７を参照して、第２実施形態のモバイルルータ１０を説明する。モバイルルータ１０は、中継装置の一具体例である。モバイルルータ１０は、ＷＡＮ側の通信とＬＡＮ側の通信を中継するものである。モバイルルータ１０は、バッテリーからの電力供給により持ち運び可能に構成されている。
【００２４】
モバイルルータ１０は、無線ＷＡＮ通信部１１と、無線ＬＡＮ通信部１２と、中継通信量監視部１３と、を備える。モバイルルータ１０は、更に、中継学習部１４と、モード決定部１５と、制御部１６と、を備える。
【００２５】
無線ＷＡＮ通信部１１は、通信速度が異なる複数のＷＡＮ接続モードを有し、ＷＡＮ側と通信する。具体的には、複数のＷＡＮ接続モードは、高速ＷＡＮ接続モード、中速ＷＡＮ接続モード、低速ＷＡＮ接続モードを含む。高速ＷＡＮ接続モードは、中速ＷＡＮ接続モードよりも通信速度が高く、消費電力が多い。中速ＷＡＮ接続モードは、低速ＷＡＮ接続モードよりも通信速度が高く、消費電力が多い。通信速度及び消費電力の違いは、無線送信出力電圧や使用する周波数帯域幅の大小に起因するものである。
【００２６】
なお、無線ＷＡＮ通信部１１は、高速ＷＡＮ接続モード、中速ＷＡＮ接続モード、低速ＷＡＮ接続モードを有することに代えて、高速ＷＡＮ接続モード及び低速ＷＡＮ接続モードのみを有していてもよい。また、無線ＷＡＮ通信部１１は、高速ＷＡＮ接続モード、中速ＷＡＮ接続モード、低速ＷＡＮ接続モードに加えて、高中速ＷＡＮ接続モードや、中低速ＷＡＮ接続モードなどの他の接続モードを有していてもよい。
【００２７】
そして、無線ＷＡＮ通信部１１は、複数のＷＡＮ接続モードのうち何れかのＷＡＮ接続モードに従って、インターネット網２０に接続された無線ＷＡＮ基地局２１と無線通信を行う。
【００２８】
無線ＬＡＮ通信部１２は、ＬＡＮ通信部の一具体例である。無線ＬＡＮ通信部１２は、通信速度が異なる複数のＬＡＮ接続モードを有し、ＬＡＮ側と通信する。具体的には、複数のＬＡＮ接続モードは、高速ＬＡＮ接続モード、中速ＬＡＮ接続モード、低速ＬＡＮ接続モードを含む。高速ＬＡＮ接続モードは、中速ＬＡＮ接続モードよりも通信速度が高く、消費電力が多い。中速ＬＡＮ接続モードは、低速ＬＡＮ接続モードよりも通信速度が高く、消費電力が多い。通信速度及び消費電力の違いは、無線送信出力電圧や使用する周波数帯域幅の大小に起因するものである。高速ＬＡＮ接続モードは、例えば、IEEE802.11adである。中速ＬＡＮ接続モードは、例えば、IEEE802.11nである。低速ＬＡＮ接続モードは、例えば、IEEE802.11gである。
【００２９】
なお、無線ＬＡＮ通信部１２は、高速ＬＡＮ接続モード、中速ＬＡＮ接続モード、低速ＬＡＮ接続モードを有することに代えて、高速ＬＡＮ接続モード及び低速ＬＡＮ接続モードのみを有していてもよい。また、無線ＬＡＮ通信部１２は、高速ＬＡＮ接続モード、中速ＬＡＮ接続モード、低速ＬＡＮ接続モードに加えて、高中速ＬＡＮ接続モードや、中低速ＬＡＮ接続モードなどの他の接続モードを有していてもよい。高中速ＬＡＮ接続モードは、例えば、IEEE802.11acである。中低速ＬＡＮ接続モードは、例えば、IEEE802.11aである。
【００３０】
そして、無線ＬＡＮ通信部１２は、複数のＬＡＮ接続モードのうち何れかのＬＡＮ接続モードに従って、スマートフォン２２と無線通信を行う。スマートフォン２２は、外部端末の一具体例である。外部端末としては、スマートフォン２２の他に、テレビ、レコーダ、タブレット型パーソナルコンピュータ、ラップトップ型パーソナルコンピュータ、デスクトップ型パーソナルコンピュータも採用し得る。また、無線ＬＡＮ通信部１２は、１つのスマートフォン２２と無線通信を行うことに代えて、複数のスマートフォン２２と同時に無線通信を行うようにしてもよい。また、モバイルルータ１０は、無線ＬＡＮ通信部１２に代えて、有線ＬＡＮ通信部を有してもよい。
【００３１】
制御部１６は、接続制御部の一具体例である。制御部１６は、無線ＷＡＮ通信部１１と無線ＬＡＮ通信部１２の間に介在することで、無線ＷＡＮ通信部１１と無線ＬＡＮ通信部１２との間におけるデータ通信を可能としている。また、制御部１６が無線ＬＡＮ通信部１２と接続することで、複数のスマートフォン２２間におけるデータ通信を可能としている。
【００３２】
中継通信量監視部１３は、無線ＷＡＮ通信部１１と無線ＬＡＮ通信部１２との間の中継通信量を監視する。中継通信量監視部１３は、無線ＷＡＮ通信部１１と制御部１６の間に介在することで、無線ＷＡＮ通信部１１と無線ＬＡＮ通信部１２との間の中継通信量を監視可能となっている。中継通信量監視部１３は、中継通信量を中継学習部１４に出力する。
【００３３】
なお、中継通信量監視部１３は、無線ＷＡＮ通信部１１と制御部１６の間に介在させることに代えて、無線ＬＡＮ通信部１２と制御部１６の間に介在させることとしてもよい。この場合、中継通信量監視部１３が監視するデータ通信には、無線ＷＡＮ通信部１１と無線ＬＡＮ通信部１２との間のデータ通信と、ＬＡＮ内でのデータ通信と、が含まれることになる。従って、この場合、中継通信量監視部１３は、送受信されるＩＰパケットのヘッダ情報に基づいて、両データ通信を切り分けて識別することになる。
【００３４】
図３は、中継通信量の時間軸における変動パターンを例示している。図３に示すように、中継通信量は、曜日や時刻に応じて規則的に変動する性質を有している。具体的には、正午の中継通信量は、正子（午前０時前後）の中継通信量と比較してかなり多い。また、正午から正子にかけて中継通信量は漸減し、正子から正午にかけて中継通信量は漸増する。
【００３５】
図２に戻り、中継学習部１４は、中継通信量監視部１３が監視により取得した中継通信量に基づいて、中継通信量の一日における変動パターンを学習する。具体的には、中継学習部１４は、中継通信量の一日における変動パターンを曜日毎、及び、時刻毎に学習する。図４には、中継学習部１４の学習データを示している。図４に示す学習データにおいて、日曜日の１２：００から１３：００の間の中継通信量は、平均すると、５０ＭＢであった。同様に、日曜日の２４：００から翌日１：００の間の中継通信量は、平均すると、１ＭＢであった。月曜日の１２：００から１３：００の間の中継通信量は、平均すると、３０ＭＢであった。同様に、月曜日の２４：００から翌日１：００の間の中継通信量は、平均すると、５ＭＢであった。
【００３６】
モード決定部１５は、中継学習部１４の学習データに基づいて、無線ＷＡＮ通信部１１のＷＡＮ接続モードを決定する。具体的には、モード決定部１５は、中継学習部１４に接続しており、中継学習部１４の学習データを参照し、中継通信量の多寡に応じて、現時点で最適となるＷＡＮ接続モードを決定する。即ち、モード決定部１５は、中継学習部１４の学習データを参照し、中継通信量が多い時間帯ではより通信速度の高いＷＡＮ接続モードを選択し、中継通信量が少ない時間帯ではより通信速度の低いＷＡＮ接続モードを選択する。例えば、一時間あたりの中継通信量が１０ＭＢ（第１の中継通信量）よりも多い時間帯では、無線ＷＡＮ通信部１１のＷＡＮ接続モードを高速ＷＡＮ接続モードと決定する。また、例えば、一時間あたりの中継通信量が１０ＭＢ（第１の中継通信量）以下であって、３ＭＢ（第２の中継通信量）より多い時間帯では、無線ＷＡＮ通信部１１のＷＡＮ接続モードを中速ＷＡＮ接続モードと決定する。また、例えば、一時間あたりの中継通信量が３ＭＢ以下である時間帯では、無線ＷＡＮ通信部１１のＷＡＮ接続モードを低速ＷＡＮ接続モードと決定する。なお、第１の中継通信量は、第２の中継通信量よりも多い。
【００３７】
図４の例では、モード決定部１５は、無線ＷＡＮ通信部１１のＷＡＮ接続モードを以下のように決定する。即ち、日曜日の１２：００から１３：００の間の中継通信量が５０ＭＢであるので、モード決定部１５は、日曜日の１２：００から１３：００の間における無線ＷＡＮ通信部１１のＷＡＮ接続モードを高速ＷＡＮ接続モードと決定する。また、日曜日の２４：００から翌日１：００の間の中継通信量が１ＭＢであるので、モード決定部１５は、日曜日の２４：００から翌日１：００の間における無線ＷＡＮ通信部１１のＷＡＮ接続モードを低速ＷＡＮ接続モードと決定する。月曜日の１２：００から１３：００の間の中継通信量が３０ＭＢであるので、モード決定部１５は、月曜日の１２：００から１３：００の間における無線ＷＡＮ通信部１１のＷＡＮ接続モードを高速ＷＡＮ接続モードと決定する。また、月曜日の２４：００から翌日１：００の間の中継通信量が５ＭＢであるので、モード決定部１５は、月曜日の２４：００から翌日１：００の間における無線ＷＡＮ通信部１１のＷＡＮ接続モードを中速ＷＡＮ接続モードと決定する。
【００３８】
制御部１６は、無線ＷＡＮ通信部１１に所定のコマンドを出力することにより、無線ＷＡＮ通信部１１のＷＡＮ接続モードをモード決定部１５が決定したＷＡＮ接続モードに切り替える。これにより、無線ＷＡＮ通信部１１は、モード決定部１５が決定したＷＡＮ接続モードで無線ＷＡＮ基地局２１と無線通信することになる。
【００３９】
図５には、無線ＷＡＮ通信部１１のＷＡＮ接続モードを曜日や時間帯に関係なく常時高速ＷＡＮ接続モードにしていた場合を示している。破線は、中継通信量の変動パターンを示し、実線はＷＡＮ接続モードを示している。この場合、常時快適なデータ通信が確保されるものの、常時高速ＷＡＮ接続モードとしているのでモバイルルータ１０の消費電力が大きく、モバイルルータ１０のバッテリーの消耗が激しい。特に、破線と実線が時間帯によって大きく乖離しており、この乖離は消費電力の抑制の余地があることを意味している。
【００４０】
これに対し、図６には、無線ＷＡＮ通信部１１のＷＡＮ接続モードを曜日毎に、且つ、時刻毎に学習データに基づいて変更した場合を示している。破線は、中継通信量の変動パターンを示し、実線はＷＡＮ接続モードを示している。この場合、中継通信量が多い正午では高速ＷＡＮ接続モードが選択されることで快適なデータ通信が確保され、中継通信量が少ない正子では低速ＷＡＮ接続モードが選択されることでモバイルルータ１０の消費電力が小さく抑えられている。このように学習された中継通信量の変動パターンに応じてＷＡＮ接続モードが自動的に切り替えられるので、快適なＷＡＮ通信環境と消費電力の抑制を手間なく両立できる。
【００４１】
次に、図７を参照して、モバイルルータ１０の作動を説明する。
【００４２】
Ｓ１００：
先ず、中継通信量監視部１３が無線ＷＡＮ通信部１１と無線ＬＡＮ通信部１２の間の中継通信量を監視する。
【００４３】
Ｓ１１０：
次に、中継学習部１４が、中継通信量の一日における変動パターンを学習する。
【００４４】
Ｓ１２０−Ｓ１６０：
次に、モード決定部１５が、中継学習部１４の学習データに基づいて、曜日毎に、及び、時刻毎に、無線ＷＡＮ通信部１１のＷＡＮ接続モードを決定する。具体的には、一時間あたりの中継通信量が１０ＭＢ（第１の中継通信量）よりも多い時間帯では（Ｓ１２０：ＹＥＳ）、無線ＷＡＮ通信部１１のＷＡＮ接続モードを高速ＷＡＮ接続モードと決定する（Ｓ１３０）。また、一時間あたりの中継通信量が１０ＭＢ（第１の中継通信量）以下であって（Ｓ１２０：ＮＯ）、３ＭＢ（第２の中継通信量）より多い時間帯では（Ｓ１４０：ＹＥＳ）、以下の通りとする。即ち、無線ＷＡＮ通信部１１のＷＡＮ接続モードを中速ＷＡＮ接続モードと決定する（Ｓ１５０）。また、一時間あたりの中継通信量が３ＭＢ以下である時間帯では（Ｓ１４０：ＮＯ）、無線ＷＡＮ通信部１１のＷＡＮ接続モードを低速ＷＡＮ接続モードと決定する（Ｓ１６０）。
【００４５】
Ｓ１７０：
次に、制御部１６は、無線ＷＡＮ通信部１１のＷＡＮ接続モードを、モード決定部１５が決定したＷＡＮ接続モードに切り替える。
【００４６】
このように、モバイルルータ１０のＷＡＮ接続モードを、モバイルルータ１０毎に学習した通信使用量の状況に基づいて、現時点での中継通信量を推測し、モバイルルータ１０自身が最適なＷＡＮ接続モードを自動的に選択する。これによって、ユーザーが面倒なＷＡＮ接続モードの切り替えを実施しなくても、モバイルルータ１０自身が自動的に最適なＷＡＮ接続モードを切り替えるので、快適なＷＡＮ通信環境と消費電力の抑制を手間なく両立できる。
【００４７】
上記の実施形態は、以下の特徴を有する。
【００４８】
モバイルルータ１０（中継装置）は、通信速度が異なる複数のＷＡＮ接続モードを有し、ＷＡＮ側と通信する無線ＷＡＮ通信部１１と、ＬＡＮ側と通信する無線ＬＡＮ通信部１２（ＬＡＮ通信部）と、を備える。モバイルルータ１０は、無線ＷＡＮ通信部１１と無線ＬＡＮ通信部１２との間の中継通信量を監視する中継通信量監視部１３と、中継通信量の一日における変動パターンを学習する中継学習部１４と、を備える。モバイルルータ１０は、中継学習部１４の学習データに基づいて、無線ＷＡＮ通信部１１のＷＡＮ接続モードを決定するモード決定部１５を備える。モバイルルータ１０は、無線ＷＡＮ通信部１１のＷＡＮ接続モードを決定したＷＡＮ接続モードに切り替える制御部１６（接続制御部）を備える。以上の構成によれば、快適なＷＡＮ通信環境と消費電力の抑制を手間なく両立できる。
【００４９】
モード決定部１５は、中継通信量が１０ＭＢ（第１の中継通信量）よりも多い時間帯では無線ＷＡＮ通信部１１のＷＡＮ接続モードを相対的に通信速度が高いＷＡＮ接続モードに決定する。モード決定部１５は、中継通信量が１０ＭＢ以下である時間帯では無線ＷＡＮ通信部１１のＷＡＮ接続モードを相対的に通信速度が低いＷＡＮ接続モードに決定する。以上の構成によれば、快適な通信環境と消費電力の抑制の両立を最適化することができる。
【００５０】
中継学習部１４は、中継通信量の一日における変動パターンを曜日毎に学習する。また、中継学習部１４は、中継通信量の一日における変動パターンを時刻毎に学習する。以上の構成によれば、中継学習部１４の学習精度を向上することができる。
【００５１】
通信速度が異なる複数のＷＡＮ接続モードを有し、ＷＡＮ側と通信する無線ＷＡＮ通信部１１と、ＬＡＮ側と通信する無線ＬＡＮ通信部１２と、を備えたモバイルルータ１０の制御は、以下の方法により行われる。無線ＷＡＮ通信部１１と無線ＬＡＮ通信部１２との間の中継通信量を監視する。中継通信量の一日における変動パターンを学習する。学習データに基づいて、無線ＷＡＮ通信部１１のＷＡＮ接続モードを決定する。無線ＷＡＮ通信部１１のＷＡＮ接続モードを決定したＷＡＮ接続モードに切り替える。以上の方法によれば、快適なＷＡＮ通信環境と消費電力の抑制を手間なく両立できる。
【００５２】
通信速度が異なる複数のＷＡＮ接続モードを有し、ＷＡＮ側と通信する無線ＷＡＮ通信部１１と、ＬＡＮ側と通信する無線ＬＡＮ通信部１２と、を備えたモバイルルータ１０のプログラムは、コンピュータに、以下の方法を実行させる。無線ＷＡＮ通信部１１と無線ＬＡＮ通信部１２との間の中継通信量を監視する。中継通信量の一日における変動パターンを学習する。学習データに基づいて、無線ＷＡＮ通信部１１のＷＡＮ接続モードを決定する。無線ＷＡＮ通信部１１のＷＡＮ接続モードを決定したＷＡＮ接続モードに切り替える。以上のプログラムによれば、快適なＷＡＮ通信環境と消費電力の抑制を手間なく両立できる。
【００５３】
上述の例において、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）を含む。非一時的なコンピュータ可読媒体の例は、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）を含む。非一時的なコンピュータ可読媒体の例は、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
モバイルルータ１０は、中央演算処理器としてのＣＰＵ（Ｃｅｎｔｒａｌ  Ｐｒｏｃｅｓｓｉｎｇ  Ｕｎｉｔ）を備えている。モバイルルータ１０は、読み書き自由のＲＡＭ（Ｒａｎｄｏｍ  Ａｃｃｅｓｓ  Ｍｅｍｏｒｙ）、読み出し専用のＲＯＭ３３（Ｒｅａｄ  Ｏｎｌｙ  Ｍｅｍｏｒｙ）を備えている。ＣＰＵがＲＯＭに記憶されているプログラムを読み出して実行することで、プログラムは、ＣＰＵなどのハードウェアを無線ＷＡＮ通信部１１、無線ＬＡＮ通信部１２、中継通信量監視部１３、中継学習部１４、モード決定部１５、制御部１６として機能させる。無線ＷＡＮ通信部１１、無線ＬＡＮ通信部１２、中継通信量監視部１３、中継学習部１４、モード決定部１５、制御部１６は、ソフトウェアで構成することに代えて、ハードウェアで構成してもよい。
【００５５】
（第３実施形態）
次に、図８を参照して、第３実施形態のモバイルルータ１０を説明する。以下、本実施形態のモバイルルータ１０が上記第２実施形態のモバイルルータ１０と相違する点を中心に説明し、重複する説明は省略する。
【００５６】
本実施形態において、モバイルルータ１０は、更に、ＬＡＮ通信量監視部３０と、ＬＡＮ学習部３１と、を備える。モード決定部１５は、ＬＡＮモード決定部の一具体例である。制御部１６は、ＬＡＮ接続制御部の一具体例である。
【００５７】
ＬＡＮ通信量監視部３０は、ＬＡＮ内における通信量としてのＬＡＮ通信量を監視する。ＬＡＮ通信量監視部３０は、無線ＬＡＮ通信部１２におけるＬＡＮ通信量を監視する。ＬＡＮ通信量は、無線ＬＡＮ通信部１２に接続された複数のスマートフォン２２間における通信の量を意味する。ＬＡＮ通信量監視部３０は、無線ＬＡＮ通信部１２と制御部１６の間に介在することで、ＬＡＮ通信量を監視可能となっている。
【００５８】
ＬＡＮ学習部３１は、ＬＡＮ通信量監視部３０が監視により取得したＬＡＮ通信量に基づいて、ＬＡＮ通信量の一日における変動パターンを学習する。具体的には、ＬＡＮ学習部３１は、ＬＡＮ通信量の一日における変動パターンを曜日毎に、且つ、時刻毎に、学習する。ＬＡＮ学習部３１による学習は、中継学習部１４による学習と同様であるので詳細な説明は省略する。
【００５９】
モード決定部１５は、ＬＡＮ学習部３１の学習データに基づいて、無線ＬＡＮ通信部１２のＬＡＮ接続モードを決定する。具体的には、モード決定部１５は、ＬＡＮ学習部３１に接続しており、ＬＡＮ学習部３１の学習データを参照し、ＬＡＮ通信量の多寡に応じて、ＬＡＮ接続モードを決定する。例えば、一時間あたりのＬＡＮ通信量が１０ＭＢ（第１のＬＡＮ通信量）よりも多い時間帯では、無線ＬＡＮ通信部１２のＬＡＮ接続モードを高速ＬＡＮ接続モードと決定する。また、例えば、一時間あたりのＬＡＮ通信量が１０ＭＢ（第１のＬＡＮ通信量）以下であって、３ＭＢ（第２の中継通信量）より多い時間帯では、無線ＬＡＮ通信部１２のＬＡＮ接続モードを中速ＬＡＮ接続モードと決定する。また、例えば、一時間あたりのＬＡＮ通信量が３ＭＢ（第２のＬＡＮ通信量）以下である時間帯では、無線ＷＡＮ通信部１１のＷＡＮ接続モードを低速ＷＡＮ接続モードと決定する。
【００６０】
制御部１６は、無線ＬＡＮ通信部１２に所定のコマンドを出力することにより、無線ＬＡＮ通信部１２のＬＡＮ接続モードをモード決定部１５が決定したＬＡＮ接続モードに切り替える。これにより、無線ＬＡＮ通信部１２は、モード決定部１５が決定したＬＡＮ接続モードでスマートフォン２２と無線通信することになる。従って、無線ＬＡＮ通信部１２に複数のスマートフォン２２が接続している場合は、複数のスマートフォン２２は、制御部１６を介して、モード決定部１５が決定したＬＡＮ接続モードで相互に通信することになる。
【００６１】
上記第３実施形態は、以下の特徴を有する。
【００６２】
即ち、無線ＬＡＮ通信部１２（ＬＡＮ通信部）は、ＬＡＮ側と無線通信するように構成されている。無線ＬＡＮ通信部１２は、通信速度が異なる複数のＬＡＮ接続モードを有する。モバイルルータ１０は、無線ＬＡＮ通信部１２におけるＬＡＮ通信量を監視するＬＡＮ通信量監視部３０と、ＬＡＮ通信量の一日における変動パターンとしてのＬＡＮ変動パターンを学習するＬＡＮ学習部３１と、を更に備える。モード決定部１５（ＬＡＮモード決定部）は、ＬＡＮ変動パターンに基づいて、無線ＬＡＮ通信部１２のＬＡＮ接続モードを決定する。制御部１６（ＬＡＮ接続制御部）は、無線ＬＡＮ通信部１２のＬＡＮ接続モードを決定したＬＡＮ接続モードに切り替える。以上の構成によれば、快適なＬＡＮ通信環境と消費電力の抑制を手間なく両立できる。
【００６３】
なお、本発明は上記実施の形態に限られたものではなく、趣旨を逸脱しない範囲で適宜変更することが可能である。
【００６４】
例えば、中継学習部１４は、中継通信量の一日における変動パターンを時刻毎に学習することとしているが、これに代えて、中継通信量の一日における変動パターンを分毎に学習してもよい。また、中継学習部１４は、中継通信量の一日における変動パターンを二時間毎に学習してもよい。
【符号の説明】
【００６５】
１０  モバイルルータ
１１  無線ＷＡＮ通信部
１２  無線ＬＡＮ通信部
１３  中継通信量監視部
１４  中継学習部
１５  モード決定部
１６  制御部
２０  インターネット網
２１  無線ＷＡＮ基地局
２２  スマートフォン
３０  ＬＡＮ通信量監視部
３１  ＬＡＮ学習部
【図１】
2019149678.tif 000003
【図２】
2019149678.tif 000004
【図３】
2019149678.tif 000005
【図４】
2019149678.tif 000006
【図５】
2019149678.tif 000007
【図６】
2019149678.tif 000008
【図７】
2019149678.tif 000009
【図８】
2019149678.tif 000010